(57)【要約】【課題】従来から支持対象物に用いられている載置台及び支持部材を保持でき、振動を受けた場合でも載置台から支持部材が脱落するおそれの少ない支持部材脱落防止装置を提供する。【解決手段】支持部材脱落防止装置１は、載置台用保持部材２と、支持部材用保持部材３とを備える。載置台用保持部材２は、内部に載置台受容部２１を区画形成する二つの載置台外周保持分割片４、５を備え、この載置台受容部２１に載置台１０２を、載置台１０２の外周側から受容するとともに、受容した載置台１０２の外周を、二つの載置台外周保持分割片４、５の内周面から構成された載置台外周保持部２５で保持する。支持部材用保持部材３は、支持部材受容孔３４の内周面から構成される支持部材外周保持部３３によって、支持部材受容孔３４に受容した支持部材の固定用ナット１０１ｂの外周を保持し、この状態で、載置台用保持部材２に固定されている。【選択図】  図５
2005337294.tif 000002
【特許請求の範囲】
【請求項１】
支持対象物を支持した支持部材であって載置台の上面に載せられた支持部材が載置台の上面から脱落するのを防止する支持部材脱落防止装置であり、
載置台用保持部材と、載置台用保持部材と固定状態に連結された支持部材用保持部材とを備え、
上記載置台用保持部材は、載置台の外周を保持する載置台外周保持部を備え、
上記支持部材用保持部材は、支持部材の外周を保持する支持部材外周保持部を備えたものであることを特徴とする支持部材脱落防止装置。
【請求項２】
請求項１記載の支持部材脱落防止装置において、
上記支持部材用保持部材は、支持部材を受容する支持部材受容孔を備え、
上記支持部材外周保持部は、支持部材受容孔の内周面から構成されたものであり、
上記載置台用保持部材は、支持部材用保持部材と取り外し可能に連結されたもの。
【請求項３】
請求項１記載の支持部材脱落防止装置において、
載置台用保持部材は、周片を有する二つの載置台用保持分割片を備え、
これらの載置台用保持分割片の周片における周方向の端部同士が互いに取り付けられることにより、内部に載置台を載置台の外周側から受容し得る載置台受容部が区画形成されるとともに、載置台用保持分割片の周片の内周面が載置台外周保持部を構成して載置台受容部に受容した載置台の外周を保持可能とされたもの。
【発明の詳細な説明】
【技術分野】
【０００１】
本願発明は、支持対象物を支持し載置台に載せられた支持部材が載置台からの脱落を防止する支持部材脱落防止装置に関するものである。
【背景技術】
【０００２】
従来から、支持部材によって支持された旋盤等の支持対象物１００は、例えば図９に示すように支持対象物１００に設けられた支持部材取付け部１００ａの支持部材取付け片１００ｃに、支持部材１０１が取付けられ、この支持部材１０１を、床面等の設置面に置いた載置台１０２の上面に単に載せられ、これにより、支持部材１０１によって支持対象物１００を支持するようにしている場合が多い。しかし、支持部材１０１を載置台１０２に単に載せておくだけでは、地震等によって振動を受けると、支持部材１０１が載置台１０２から滑り落ちてしまう危険性がある。
【０００３】
そこで、振動を受けた場合でも、支持部材が載置台から滑り落ちる危険性の少ない支持部材脱落防止装置が、例えば各種機械用高さ調整装置２００として提案されている。このものは、図１０に示すように、支持対象物に設けられた支持部材取付け部１００ａの支持部材取付け片１００ｃに螺合され外周に雄ネジ部２０１ａを有する筒状の支持部材２０１と、支持部材２０１を載置する載置台２０２と、支持部材２０１と載置台２０２とを固定する外周に雄ネジ部２０３ａを有するボルト部材２０３とを備えたものである。そして、雄ネジ部２０１ａを介して支持部材取付け片１００ｃに螺合した支持部材２０１を載置台２０２に載せ、その状態から、ボルト部材２０３を支持部材２０１に設けたボルト挿通孔２０１ｂに挿通させるとともに、ボルト挿通孔２０１ｂから下方側に突出したボルト部材２０３の雄ネジ部２０３ａを、載置台２０２に設けたボルト螺合用雌ネジ部２０２ａに螺合する。これにより、振動を受けた場合でも、支持部材２０１が載置台２０２から滑り落ちて脱落してしまうようなことを確実に防止できる。
【特許文献１】特開平９−２２９２９１号公報
【発明の開示】
【発明が解決しようとする課題】
【０００４】
しかしながら、この各種機械用高さ調整装置２００における支持部材２０１は、ボルト挿通孔２０１ｂを有するもので、載置台２０２は、ボルト螺合用雌ネジ部２０２ａを有するものであり、この各種機械用高さ調整装置用として新たに製作した専用品である。そのため、図９に示すような従来のボルト挿通孔２０１ｂを有しない支持部材１０１およびボルト螺合用雌ネジ部２０２ａを有しない載置台１０２には、適応できず、上記各種機械用高さ調整装置を用いる場合は、それらを取り外して、図１０に示すようなボルト挿通孔２０１ｂを有する支持部材２０１及びボルト螺合用雌ネジ部２０２ａを有する載置台２０２に交換しなければならない。その際、工作機械は一般に、相当な重量を有するため、支持部材１０１および載置台１０２を取り外して交換するのが困難且つ労力を要してしまう。
【０００５】
また、従来の支持部材１０１にボルト挿通孔２０１ｂを明けると、断面積が減少して強度が弱くなってしまい、工作機械のような相当な重量を有するものの使用に好ましくない。
【０００６】
本願発明は、従来から支持対象物に用いられている載置台及び支持部材を保持でき、振動を受けた場合でも載置台から支持部材が脱落するおそれの少ない支持部材脱落防止装置の提供を目的とする。
【課題を解決するための手段】
【０００７】
本願発明は、次の特徴を有する支持部材脱落防止装置を提供することにより上記課題を解決する。
【０００８】
本願の請求項１記載の発明は、支持対象物を支持した支持部材であって載置台の上面に載せられた支持部材がその載置台の上面から脱落するのを防止する支持部材脱落防止装置であり、載置台用保持部材と、載置台用保持部材と固定状態に連結された支持部材用保持部材とを備え、上記載置台用保持部材は、載置台の外周を保持する載置台外周保持部を備え、上記支持部材用保持部材は、支持部材の外周を保持する支持部材外周保持部を備えたものであることを特徴とする支持部材脱落防止装置である。
【０００９】
本願の請求項２記載の発明は、請求項１記載の支持部材脱落防止装置において、上記支持部材用保持部材は、支持部材を受容する支持部材受容孔を備え、上記支持部材外周保持部は、支持部材受容孔の内周面から構成されたものであり、上記載置台用保持部材は、支持部材用保持部材と取り外し可能に連結されたものである。
【００１０】
本願の請求項３記載の発明は、請求項１記載の支持部材脱落防止装置において、載置台用保持部材は、周片を有する二つの載置台用保持分割片を備え、これらの載置台用保持分割片の周片における周方向の端部同士が取り付けられることにより、内部に載置台を載置台の外周側から受容し得る載置台受容部が区画形成されるとともに、載置台用保持分割片の周片の内周面が載置台外周保持部を構成して載置台受容部に受容した載置台の外周を保持可能とされたものである。
【発明の効果】
【００１１】
本願の請求項１記載の発明においては、載置台用保持部材は、載置台の外周を保持する載置台外周保持部を備え、支持部材用保持部材は、支持部材の外周を保持する支持部材外周保持部を備えたものとする。こうすることにより、従来から使用されている支持部材及び載置台を加工することなくそのまま用いることができる。しかも、例えば支持部材にボルト挿通孔を明けることによる支持部材の強度の低下を防止できる。
【００１２】
本願の請求項２記載の発明においては、支持部材外周保持部は、支持部材受容孔の内周面に形成されたものとする。こうすることにより、支持部材受容孔に、支持部材に入れれば良く、これにより、支持部材外周保持部によって、支持部材の外周を保持でき、保持する作業を容易なものにできる。
【００１３】
本願の請求項３記載の発明においては、載置台受容部に載置台を載置台の外周側から受容できる。これにより、載置台に支持部材が載せられている場合でも支持部材が邪魔になることなく、載置台受容部に載置台を受容でき、受容した載置台の外周を載置台外周保持部によって保持できる。従って、工作機械等に使用されて載置台に支持部材を載せた状態で、載置台及び支持部材の外周を保持でき、支持部材脱落防止装置の装着作業を容易に行なうことができる。
【発明を実施するための最良の形態】
【００１４】
図１は、本願発明の一実施形態の支持部材脱落防止装置の正面図、図２は、その右側面、図３は、その平面面である。
【００１５】
本願発明の支持部材脱落防止装置１は、支持対象物を支持し載置台の上面に載せられた支持部材がその載置台の上面から脱落するのを防止するものである。ここで、本願発明の説明に先だって、この実施形態に用いられる支持部材１０１および載置台１０２について、図５、図７を参照して簡単に説明する。
【００１６】
この実施形態では、支持対象物として旋盤、フライス盤等の工作機械装置を例に説明する。支持部材１０１は、工作機械の装置を支持し、その状態で、載置台１０２に載せられている。
【００１７】
支持部材１０１は、支持対象物１００を支持する支持脚１０１ａと、支持脚１０１ａを支持対象物１００に固定する固定ナット１０１ｂとを備えている。支持脚１０１ａの外周には、雄ネジ部１０１ｃが備えられ、上端に、スパナ等の工具を係合する工具係合部１０１dが備えられている。
【００１８】
そして、この支持脚１０１ａは、支持対象物１００に設けられた支持部材取付け部１００ａに取り付けられている。詳しくは、支持対象物１００の支持部材取付け部１００ａは、ほぼ水平方向に伸ばされた支持部材取付け片１００ｃを備えている。又、支持部材取付け片１００ｃには、雌ネジ部１００ｂが設けられている。そして、支持脚１０１ａは、この支持部材取付け片１００ｃの雌ネジ部１００ｂに螺合されることにより、支持対象物１００の支持部材取付け部１００ａに取り付けられている。又、この状態で、支持脚１０１ａの雄ネジ部１０１ｃに螺合した固定ナット１０１ｂが支持部材取付け片１００ｃの上面に当接されて締め付けられることにより、支持脚１０１ａが支持対象物１００の支持部材取付け部１００ａに固定された状態とされている。
【００１９】
又、この状態から、固定ナット１０１ｂを緩め、支持脚１０１ａの工具係合部１０１ｄに工具、例えばスパナを係止し、スパナを回転させる。これにより、支持部材取付け部１００ａから下方側への支持脚１０１aの突出量を調整でき、支持対象物１００の高さ調整をできる。
【００２０】
一方、この実施形態に用いられる載置台１０２は、金属製の円柱状のものから構成され、上面に支持部材載置面１０２ａが備えられている。そして、この載置台１０２は、支持対象物１００を設置する床面等の設置面に置かれた状態で、支持部材載置面１０２ａに支持部材１０１の支持脚１０１ａが載せられる。
【００２１】
次に、本願発明の支持部材脱落防止装置１について説明する。本願発明の支持部材脱落防止装置１は、図１〜図４に示すように載置台１００を保持する載置台用保持部材２と、支持部材１０１を保持する支持部材用保持部材３とを備えている。
【００２２】
載置台用保持部材２は、この実施形態では、上面を有する円筒体を、軸方向にほぼ二等分割するようにして形成された左載置台用保持分割片４と、右載置台用保持分割片５との二つの載置台用保持分割片を備えている。
【００２３】
左載置台用保持分割片４及び右載置台用保持分割片５は、夫々、上片４ａ、５ａと、断面半円状の周片４ｂ、５ｂとを備えている。
【００２４】
そして、これらの左載置台用保持分割片４及び右載置台用保持分割片５の各周片４ｂ、５ｂの周方向の第１端としての後端同士が、蝶番６を介して回転可能に取付けられている。そして、これらの左載置台用保持分割片４と右載置台用保持分割片５とで、上面を有する円筒体を形成するとともに、内部に載置台を受容する載置台受容部２１を区画形成できるようになっている。
【００２５】
又、これらの左載置台用保持分割片４と右載置台用保持分割片５との周片４ｂ、５ｂの内周面２５ａ、２５ｂが載置台外周保持部２５を構成し、載置台受容部２１に受容した載置台１０２の外周を保持する。この実施形態における載置台外周保持部２５の径は、載置台１０２の外周径と同程度に設定され、載置台外周保持部２５と載置台１０２の外周の全周と実質的に内接するようになっている。
【００２６】
又、これらの左載置台用保持分割片４と右載置台用保持分割片５との各上片４ａ、５ａによって形成された載置台用保持部材２の上面には、支持部材１０１の支持脚１０１aを挿通する支持部材挿通孔２２が備えられている。
【００２７】
また、このようにして、左載置台用保持分割片４及び右載置台用保持分割片５の各周片４ｂ、５ｂの後端同士が回転可能に取付けられることによって、図４に示すように各周片４ｂ、５ｂの前端同士の間に開閉自在な受容口２１ａが形成可能とされており、この受容口２１ａから載置台受容部２１に載置台１０２を入れられるようになっている。
【００２８】
又、この各周片４ｂ、５ｂの前端同士は、係止手段によって、係脱自在に係止できるようにされている。この実施形態における係止手段は、図５及び図７に示すように右載置台用保持分割片５に設けられた固定片５１と、左載置台用保持分割片４に設けられたネジ孔４１、４１と、後述する載置台用保持部材２と支持部材用保持部材３とを連結する連結用ボルト７、７とから構成されている。
【００２９】
固定片５１は、右載置台用保持分割片５の外周に溶接等の固定手段によって取り付けられた取付部５１ａと、右載置台用保持分割片５の周方向側に突出した突出部５１ｂとを備えている。又、突出部５１ｂには、連結用ボルト７、７を挿通する連結用ボルト挿通孔５１ｃ、５１ｃが、左載置台用保持分割片４のネジ孔４１、４１に対応する位置に穿設されている。
【００３０】
そして、連結用ボルト７、７が、支持部材用保持部材３に設けられたボルト挿通用長孔３２ａに通された後、右載置台用保持分割片５の連結用ボルト挿通孔５１ｃ、５１ｃを通って、左載置台用保持分割片４のネジ孔４１、４１に螺合される。これにより、左載置台用保持分割片４と右載置台用保持分割片５とが受容口２１ａを閉めた閉状態で互いに係止され、受容口２１ａは閉状態に維持される。
【００３１】
又、この実施形態の載置台用保持部材２は、図１〜図４に示すように床面等の設置面に固定するための設置面固定部材２２ａ、２２ｂを備えている。この実施形態では、右載置台用保持分割片５の外周面に取付ボルト８１を介して取付けられた第１の設置面固定部材２２ａと、左載置台用保持分割片４の外周面に取付ボルト８２を介して取付けられた第２の設置面固定部材２２ｂとから構成されている。
【００３２】
第１の設置面固定部材２２ａは、右載置台用保持分割片５に取付けられた保持片取付部２３と、設置面に取付ける設置面取付部２４とを備えている。保持片取付部２３は、取付ボルト８１、８１を挿通する長溝状のボルト挿通用長孔２３ａを備えている。そして、このボルト挿通用長孔２３ａに通した取付ボルト８１、８１を、右載置台用保持分割片５に設けられたネジ孔（図示せず）に螺合することにより、第１の設置面固定部材２２ａが右載置台用保持分割片５に取付けられている。
【００３３】
設置面取付部２４は、保持片取付部２３の下端から右載置台用保持分割片５の外周側に突設されている。又、この設置面取付部２４には、アンカーボルト挿通孔２４ａが穿設され、このアンカーボルト挿通孔２４ａに、設置面に設けられたアンカーボルト（図示せず）を通し、ナット等を介して設置面に固定できるようになっている。
【００３４】
第２の設置面固定部材２２ｂは、上記第１の設置面固定部材２２ａと同じ構成を採っている。
【００３５】
次に、支持部材脱落防止装置１の支持部材用保持部材３について説明する。この実施形態の支持部材用保持部材３は、板状体から構成されており、支持部材保持片３１と、支持部材保持片３１を下方側から支持する支持片３２とから構成されている。
【００３６】
支持部材保持片３１は、支持部材１０１の固定ナット１０１bの外周を保持する円形状の支持部材外周保持部３３を備えている。この支持部材外周保持部３３は、支持部材１０１の固定ナット１０１bの外周を受容可能に穿設された円形状の支持部材受容孔３４の内周面から構成されている。
【００３７】
又、この実施形態の支持部材受容孔３４、即ち支持部材外周保持部３３の直径Ｄ１は、図６に示すように支持部材１０１の固定ナット１０１bの最大外周径Ｄ２と同程度に設定され、支持部材外周保持部３３と固定ナット１０１bとが実質的に内接するようになっている。より具体的には、例えば支持部材外周保持部３３の直径Ｄ１が、５０ｍｍ程度とされ、最大外周径Ｄ２が４７ｍｍ程度の固定ナット１０１bの外周を支持部材受容孔３４に受容し、固定ナット１０１bの外周を支持部材外周保持部３３によって保持する。
【００３８】
支持片３２は、この実施形態では、支持部材保持片３１から下方側にほぼ直角に折り曲げ成形されて上下方向に伸ばされている。この支持片３２には、連結用ボルト７、７を挿通可能に、上下方向に伸ばされた長溝状の連結用ボルト挿通用長孔３２ａが備えられている。
【００３９】
そして、この連結用ボルト挿通用長孔３２ａに通した連結用ボルト７、７が、右載置台用保持分割片５の連結用ボルト挿通孔５１ｃ、５１ｃに通され左載置台用保持分割片４のネジ孔４１、４１に螺合されて締め付けられる。これにより、支持片３２を載置台用保持部材２に固定状態に連結できるようになっている。又、この連結によって、支持部材保持片３１の支持部材外周保持部３３は、載置台用保持部材２の支持部材挿通孔２２の上方側に、支持部材挿通孔２２とほぼ同心になる位置に配位される。
【００４０】
また、支持部材用保持部材３は、連結用ボルト挿通用長孔３２ａによって、締め付けた連結用ボルト７、７を緩めることにより、載置台用保持部材２に上下移動可能に連結された状態になる。これにより、載置台用保持部材２に対して支持部材用保持部材３の支持部材保持部３３の高さ位置を調整する場合は、連結状態で行なうことができ、高さ位置調整を容易なものにできる。
【００４１】
以上のように構成された支持部材脱落防止装置１を、工作機械を支持し載置台１０２に載せられた支持部材１０１及び載置台１０２に装着するには、まず、図５に示すように、載置台用保持部材２のネジ孔４１、４１に螺合した連結用ボルト７、７を外し、支持部材用保持部材３と載置台用保持部材２とを分離した状態にする。
【００４２】
そして、支持部材取付け部１００ａの上方側に突出した支持部材１０１の支持脚１０１ａを支持部材用保持部材３の支持部材外周受容孔３４に上方側から通すようにして、支持部材用保持部材３の支持部材外周受容孔３４に支持部材１０１の固定ナット１０１ｂを受容させるとともに、載置台用保持部材２の受容口２１ｃを開き、載置台１０２を載置台１０２の外周側から受容口２１ｃを介して載置台受容部２１に入れ、受容口２１ｃを閉める。
【００４３】
そして、この状態から、連結用ボルト７、７を、支持部材用保持部材３のボルト挿通用長孔３２ａ、右載置台用保持分割片５の連結用ボルト挿通孔５１ｃ、５１ｃに順次通した後、左載置台用保持分割片４のネジ孔４１、４１に螺合し、締め付ける。これにより、図６、図７に示すように、工作機械を支持し載置台１０２に載せられた状態の支持部材１０１及び載置台１０２に、装着できる。
【００４４】
装着後は、各載置台用保持分割片４，５が上片４ａ、５ａによって変形し難いものから構成されているため、例えば地震によって載置台１０２等から載置台用保持分割片４，５に力がかかった場合でも、各載置台用保持分割片４，５を変形し難いものにでき、載置台１０２の外周を確実に保持できる。
【００４５】
以上、実施形態の支持部材脱落防止装置１は、次のように把握することもできる。即ち、支持部材脱落防止装置１は、載置台１０２の外周を保持する載置台外周保持部２５を有する載置台用保持部材２と、載置台用保持部材２と固定状態に連結され支持部材１０１の外周を保持する支持部材外周保持部３３を有する支持部材用保持部材３とを備え、この載置台用保持部材２は、上面を有する筒体から構成され、筒体の内周面が載置台外周保持部２５を構成し、この載置台外周保持部２５は、載置台１０２の外周と実質的に内接するである。
【００４６】
尚、上記実施形態では、支持部材外周保持部３３を支持部材受容孔３４の内周壁から構成しているが、この形態のものに限らず、適宜変更できる。例えば図８に示すように、支持部材用保持部材３を、支持部材用保持本体部３５と、保持片３６とを備えたものとする。この支持部材用保持本体部３５は、支持部材１０１の固定ナット１０１ｂの外周の一部を保持する本体用保持部３３ａを備えている。保持片３６は、支持部材１０１の固定ナット１０１ｂの外周の一部を保持する保持片用保持部３３ｂを備えている。又、保持片３６の基端側が支持部材用保持本体部３５に回転自在に取付けられることにより、支持部材用保持本体部３５の本体用保持部３３ａと保持片３６の保持片用保持部３３ｂとで円形状の支持部材外周保持部３３を形成する。保持片３６の先端側は、係止手段としてのボルト３７によって支持部材用保持本体部３５に係脱自在に取付けられるようになっている。このようにして、支持部材用保持本体部３５の本体用保持部３３ａと保持片３６の保持片用保持部３３ｂとの間に、支持部材１０１の固定ナット１０１ｂを受容し、その受容した固定ナット１０１ｂを、支持部材用保持本体部３５の本体用保持部３３ａと保持片３６の保持片用保持部３３ｂとで保持する。
【００４７】
又、上記実施形態では、載置台用保持部材２に支持部材用保持部材３を取り外し可能に連結しているが、例えば、支持部材用保持部材３を、上記図８に示したように、支持部材用保持本体部３５と保持片３６とから構成する場合には、載置台用保持部材２と支持部材用保持部材３とを溶接等によって取り外し不能に固定しても良い。
【００４８】
また、上記実施形態では、支持部材用保持部材３における支持部材外周保持部３３を有する支持部材保持片３１は、支持対象物１００の支持部材取付け片１００ｃの上方位置に配位され支持部材取付け片１００ｃの上方に突出した支持部材１０１の固定ナット１０１ｂを保持するようにしているが、この形態のものに限らず、適宜変更できる。例えば支持部材保持片３１を、支持対象物１００の支持部材取付け片１００ｃの下方位置に配位させ支持部材取付け片１００ｃの下方に突出した支持部材の外周一部を保持するようにしても良い。ただし、支持部材保持片３１を、支持対象物１００の支持部材取付け片１００ｃの上方位置に配位させておけば、振動を受けた場合に、支持部材１０１の支持脚１０１ａが支持部材外周保持部３３から上方に抜け出るおそれの少ないものにできる。従って、この点で、上記実施形態のように、支持部材用保持部材３における支持部材外周保持部３３を有する支持部材保持片３１は、支持対象物１００の支持部材取付け片１００ｃの上方位置に配位され支持部材取付け片１００ｃの上方に突出した支持部材１０１の支持脚１０１ａ又は固定ナット１０１ｂを保持するようにしておくのが好ましい。
【００４９】
また、上記実施形態では、支持部材外周保持部３３は、支持部材１０１の固定ナット１０１ｂの外周を保持するようにしているが、例えば支持部材１０１の支持脚１０１ａの外周を保持するようにしても良い。
【００５０】
また、上記実施形態では、支持部材用保持部材３は、支持部材用保持部材３に対する支持部材外周保持部３３の高さ位置を調整できるように、支持部材用保持部材３に連結されているが、この形態のものに限らず、例えば支持部材用保持部材３は、支持部材用保持部材３に対する支持部材外周保持部３３の高さ位置を調整不能に、支持部材用保持部材３に連結されるものでも良く、適宜変更できる。
【００５１】
又、上記実施形態では、載置台用保持部材２は、上面を有するものから構成しているが、例えば上面を設けないものとして実施することもでき、適宜変更できる。ただし、上面を設けたものにしておけば、載置台用保持部材２が変形し難くなるので、上面を設けたものにしておくのが好ましい。
【００５２】
また、載置台用保持部材２は、上記実施形態のように断面円形状のものから構成されるものに限らず、載置台１０２の外周を保持できるものであれば良く、適宜変更できる。例えば断面四角形状のものでもよい。ただし、載置台用保持部材２を載置台１０２の外周形状に合わせた形状にしておけば、載置台１０２のほぼ外周全体を受けることができ、確実に保持できる点で好ましい。
【００５３】
又、載置台用保持部材２は、上記実施形態のように左載置台用保持分割片４と右載置台用保持分割片５との二つの分割片から構成する形態のものに限らず、適宜変更できる。例えば、載置台用保持部材２を分割しない一つの円筒体のものから構成しても良い。載置台用保持部材２を一つの円筒体から構成する場合は、次のようにして載置台１０２に装着する。
【００５４】
まず、載置台１０２の上面に載せた支持部材１１の支持脚１０１ａを、一旦、載置台１０２の上面から外す。そして、その状態で、載置台用保持部材２を、載置台１０２の上方側から載置台１０２に被せるようにして載置台用保持部材２の内部の載置台受容部２１に入れる。その後、支持部材１１の支持脚１０１ａを、載置台用保持部材２の支持部材挿通孔２２を通して載置台用保持部材２内の載置台１０２に載せる。
【００５５】
又、載置台用保持部材２を分割する場合は、二つに分割する形態のものに限らず、三つ以上の分割片から構成しても良い。又、二つの分割片から構成する場合、上記実施形態のように、分割片の第１端同士を回転自在に取付けるものに限らず、両端をボルト等で取り付けるようにしても良い。
【００５６】
また、載置台用保持部材２の支持部材挿通孔２２の大きさは、支持脚１０１ａを通せことのできる大きさであれば良く、特に限定されない。ただし、支持部材挿通孔２２を、支持脚１０１ａの外径よりも直径で１０〜３０ｍｍ程度、大きいものに形成しておくのが好ましい。支持部材挿通孔２２の直径を、支持脚１０１ａの外径よりも１０ｍｍ以上大きくしておくと、地震による振動を受けた場合に、支持脚１０１ａが支持部材挿通孔２２から上方側に出て載置台用保持部材２の上面４ａ、５ａに当たるようなことを防止できる。一方、支持部材挿通孔２２の直径が、支持脚１０１ａの外径よりも３０ｍｍ以上大きくなると、載置台用保持部材２の各左載置台用保持分割片４、右載置台用保持分割片５が変形し易くなるおそれが生じる。
【００５７】
また、支持対象物１００は、特に限定されない。例えば机、棚等の事務機器、箪笥等の家具、旋盤又はボール盤等の工作機械等に適応できる。ただし、本願発明は、支持対象物１００に取付けた状態の載置部材及び支持部材にそのまま装着できるため、旋盤又はボール盤等の工作機械等のように相当な重量を有するものに対して適応するのが、特に好ましい。
【００５８】
又、本願発明における載置台外周保持部は、保持する載置台の外周との間に多少の隙間ができても、支持部材が載置台から落ちない程度であれば良い。ただし、載置台外周保持部が、保持する載置台の外周に実質的に内接できる程度に形成しておけば載置台の外周をより確実に保持できる点で好ましい。支持部材外周保持部についても、上記載置台外周保持部と同様である。
【００５９】
上記実施形態では、設置面固定部材２２ａ、２２ｂを設けたものとしているが、設置面固定部材２２ａ、２２ｂを設けないものとして実施することもでき、適宜変更できる。
【００６０】
また、設置面固定部材２２ａ、２２ｂを設ける場合、上記実施形態のように二つ設けるものに限らず、一つまたは三つ以上設けるようにしても良い。
【図面の簡単な説明】
【００６１】
【図１】本願発明の一実施形態の支持部材脱落防止装置の正面図である。
【図２】その右側面図である。
【図３】その平面図である。
【図４】支持部材脱落防止装置の分解平面図である。
【図５】支持部材脱落防止装置を、支持部材及び載置台に装着させる際の説明図である。
【図６】支持部材及び載置台に装着した状態の支持部材脱落防止装置の平面図である。
【図７】図６のＶＩＩ−ＶＩＩ線断面図である。
【図８】他の実施形態の支持部材脱落防止装置の支持部材用保持部材の要部の平面図である。
【図９】従来の支持部材脱落防止装置の断面図である。
【図１０】従来の別な支持部材脱落防止装置の断面図である。
【符号の説明】
【００６２】
１    支持部材脱落防止装置
２    載置台用保持部材
３    支持部材用保持部材
４    左載置台用保持分割片
５    右載置台用保持分割片
２１    載置台受容部
２５    載置台外周保持部
３３    支持部材受容孔
３４    支持部材外周保持部
特許出願人  有限会社  永田工作所
出願人代理人  弁理士  田川  幸一
【図１】
2005337294.tif 000003
【図２】
2005337294.tif 000004
【図３】
2005337294.tif 000005
【図４】
2005337294.tif 000006
【図５】
2005337294.tif 000007
【図６】
2005337294.tif 000008
【図７】
2005337294.tif 000009
【図８】
2005337294.tif 000010
【図９】
2005337294.tif 000011
【図１０】
2005337294.tif 000012